(57)【要約】【課題】建物の外壁面に凹凸や不陸があった場合でも、スムーズに支持具本体を竪樋に取り付けることのできる竪樋支持具を得る。【解決手段】竪樋３０を支持する支持具本体１に設けられた挿通孔６に釘（固定部材）２を一端側から挿通し、当該釘２を建物の外壁２０に固定することで取り付けられる竪樋支持具１０であって、前記挿通孔６を一端側から他端側に向けて拡径することで、釘頭（支持部）２ａを前記挿通孔６の一端側で支持した状態で、釘２が支持具本体１に対して相対的に揺動できるようにした。【選択図】図２
2011006899.tif 000002
【特許請求の範囲】
【請求項１】
竪樋を支持する支持具本体に設けられた挿通孔に固定部材を一端側から挿通し、当該固定部材を建物の外壁に固定することで取り付けられる竪樋支持具であって、
前記固定部材は、前記挿通孔の一端側の周囲に支持される支持部を備え、
前記挿通孔を一端側から他端側に向けて拡径することで、前記支持部を前記挿通孔の一端側で支持した状態で、前記固定部材が前記支持具本体に対して相対的に揺動できるようにしたことを特徴とする竪樋支持具。
【請求項２】
竪樋を支持する支持具本体に設けられた挿通孔に固定部材を一端側から挿通し、当該固定部材を建物の外壁に固定することで取り付けられる竪樋支持具であって、
前記固定部材は、前記挿通孔の一端側の周囲に支持される支持部を備え、
前記挿通孔は、前記固定部材を保持するとともに、前記支持部を前記挿通孔の一端側で支持した状態で、前記固定部材が前記支持具本体に対して相対的に揺動するのを許容する許容部を備えることを特徴とする竪樋支持具。
【請求項３】
前記許容部は、前記挿通孔の内部に設けられて前記固定部材を保持する弾性変形可能な保持部材で構成されていることを特徴とする請求項２に記載の竪樋支持具。
【請求項４】
前記保持部材が、前記挿通孔の内部から径内側に向けて張り出す弾性リブであることを特徴とする請求項３に記載の竪樋支持具。
【請求項５】
前記挿通孔は、一端側から他端側に向けて拡径していることを特徴とする請求項２〜４のうち何れか１項に記載の竪樋支持具。
【請求項６】
前記挿通孔の一端側の周囲に、前記固定部材の前記支持具本体に対する揺動の際に、前記支持部の揺動を許容する凹部を設けたことを特徴とする請求項１〜５のうち何れか１項に記載の竪樋支持具。
【発明の詳細な説明】
【技術分野】
【０００１】
本発明は、竪樋を建物の外壁に固定する竪樋支持具に関し、詳細には、建物の外壁に凹凸や不陸があった場合でも、スムーズに竪樋支持具の支持具本体を竪樋に取り付けるための技術に関する。
【背景技術】
【０００２】
従来より、竪樋を支持する支持具本体に設けられた挿通孔に固定部材としての釘を一端側から挿通し、当該釘を建物の外壁に打ち込み固定することで取り付けられる竪樋支持具が知られている（例えば、特許文献１参照）。
【０００３】
挿通孔は、釘足（挿入部）と略同径に形成され、釘頭（支持部）が挿通孔の一端側の周囲に支持されることで抜け止めされており、支持具本体の受け側部材および止め側部材に設けられた係合部を互いに係合することで、ワンタッチで竪樋を周囲から支持することができるようになっている。
【先行技術文献】
【特許文献】
【０００４】
【特許文献１】実開昭６２−４７６３６号公報
【発明の概要】
【発明が解決しようとする課題】
【０００５】
ところで、近年では、建物の外壁に意匠が施されて凹凸や不陸のある建物が増加してきており、このような場合には、釘を建物の外壁に対して垂直ではなく傾斜させて打ち込まなければならなくなる。
【０００６】
しかしながら、上記従来技術では、釘足と略同径の挿通孔に釘を挿通させて打ち込み固定する構造であるため、釘を傾斜させてしまうと支持具本体も傾斜させた状態で竪樋を支持しなければならない。
【０００７】
そのため、竪樋に対する支持具本体の角度が合わずに、受け側部材と止め側部材の係合部の係合に不具合が生じて、スムーズに支持具本体を竪樋に取り付けることができないという問題があった。
【０００８】
そこで、本発明は、建物の外壁面に凹凸や不陸があった場合でも、スムーズに支持具本体を竪樋に取り付けることのできる竪樋支持具を得ることを目的とする。
【課題を解決するための手段】
【０００９】
請求項１の発明にあっては、竪樋を支持する支持具本体に設けられた挿通孔に固定部材を一端側から挿通し、当該固定部材を建物の外壁に固定することで取り付けられる竪樋支持具であって、前記固定部材は、前記挿通孔の一端側の周囲に支持される支持部を備え、前記挿通孔を一端側から他端側に向けて拡径することで、前記支持部を前記挿通孔の一端側で支持した状態で、前記固定部材が前記支持具本体に対して相対的に揺動できるようにしたことを特徴とする。
【００１０】
請求項２の発明にあっては、竪樋を支持する支持具本体に設けられた挿通孔に固定部材を一端側から挿通し、当該固定部材を建物の外壁に固定することで取り付けられる竪樋支持具であって、前記固定部材は、前記挿通孔の一端側の周囲に支持される支持部を備え、前記挿通孔は、前記固定部材を保持するとともに、前記支持部を前記挿通孔の一端側で支持した状態で、前記固定部材が前記支持具本体に対して相対的に揺動するのを許容する許容部を備えることを特徴とする。
【００１１】
請求項３の発明にあっては、前記許容部は、前記挿通孔の内部に設けられて前記固定部材を保持する弾性変形可能な保持部材で構成されていることを特徴とする。
【００１２】
請求項４の発明にあっては、前記保持部材が、前記挿通孔の内部から径内側に向けて張り出す弾性リブであることを特徴とする。
【００１３】
請求項５の発明にあっては、前記挿通孔は、一端側から他端側に向けて拡径していることを特徴とする。
【００１４】
請求項６の発明にあっては、前記挿通孔の一端側の周囲に、前記固定部材の前記支持具本体に対する揺動の際に、前記支持部の揺動を許容する凹部を設けたことを特徴とする。
【発明の効果】
【００１５】
請求項１の発明によれば、挿通孔を一端側から他端側に向けて拡径することで、支持部を挿通孔の一端側で支持した状態で、固定部材が支持具本体に対して相対的に揺動できるようにしたため、固定部材を傾斜させて固定しても、支持具本体を揺動させることで竪樋に対する支持具本体の角度を合わすことができるようになり、スムーズに支持具本体を竪樋に取り付けることができる。
【００１６】
請求項２の発明によれば、請求項１と同様の作用・効果を得ることができる。
【００１７】
請求項３の発明によれば、許容部が挿通孔の内部に設けられて固定部材を保持する弾性変形可能な保持部材で構成されているため、支持具本体に対して固定部材を揺動させる際に、保持部材が撓んで固定部材のがたつきを抑制することができる。
【００１８】
請求項４の発明によれば、請求項３と同様に作用・効果を得ることができる。
【００１９】
請求項５の発明によれば、挿通孔が一端側から他端側に向けて拡径しているため、拡径された挿通孔が誘導部となって固定部材をスムーズに揺動させることができるようになる。
【００２０】
請求項６の発明によれば、挿通孔の一端側の周囲に、固定部材の支持具本体に対する揺動の際に、支持部の揺動を許容する凹部が設けられているため、軸をずらさずに、常に挿通孔の一端側の周囲に当接された支持部の略中央部を軸に固定部材を揺動させることができるようになり、支持具本体に対する固定部材の揺動をスムーズに行うことができる。
【図面の簡単な説明】
【００２１】
【図１】本発明の第１実施形態にかかる竪樋支持具の斜視図である。
【図２】図１に示す竪樋支持具の挿通孔近傍における概略断面図である。
【図３】図２に示す固定部材を支持具本体に対して相対的に揺動させた状況を示す図である。
【図４】竪樋支持具の固定部材を建物の外壁に傾斜させて打ち込んだ状況を示す図である。
【図５】図４に示す竪樋支持具に竪樋を支持させた状況を示す図である。
【図６】本発明の第２実施形態にかかる竪樋支持具を示した概略図であり、（ａ）は挿通孔近傍の断面図、（ｂ）は挿通孔を正面から見た図である。
【発明を実施するための形態】
【００２２】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２３】
［第１実施形態］
図１〜図５は、本発明にかかる竪樋支持具１０の第１実施形態を示した図である。本実施形態の竪樋支持具１０は、建物の外壁２０に竪樋３０を取り付ける際に使用されるものであって、竪樋３０を支持する支持具本体１と、この支持具本体１に設けられた挿通孔６に挿通される固定部材としての釘２とを備えている。
【００２４】
支持具本体１は、図１に示すように、竪樋３０を受ける受け側部材３と止め側部材４とに２分割され、ヒンジ部５を介して止め側部材４が受け側部材３に対して回動自在に取り付けられている。受け側部材３および止め側部材４は、互いに設けられた係合部１５の係合状態で略円環状の外形を呈しており、竪樋３０を周囲から支持するようになっている。
【００２５】
係合部１５は、受け側部材３の一端部に埋設された軸部１２と、止め側部材４の一端部に突設された爪部１１とで構成されており、止め側部材４の爪部１１が、受け側部材３の軸部１２の外側から回り込んで軸部１２の周壁１３に係合するようになっている。
【００２６】
また、受け側部材３の略中央部には、環状の本体部分から略矩形状に突設された突部８が設けられており、この突部８に釘２を挿通させる挿通孔６が形成されている。
【００２７】
ここで、本実施形態では、図２に示すように、この挿通孔６が支持具本体１の内周側（一端側）から支持具本体１の外周側（他端側）に向けてラッパ状に拡径するように形成されている。釘２は、かかる挿通孔６の支持具本体１内周側（一端側）から挿入されるようになっており、釘足（挿入部）２ｂを挿通させるとともに、釘頭（支持部）２ａが挿通孔６の一端側の周囲に支持されることで抜け止めされる。
【００２８】
このような構成によって、図３に示すように、釘頭２ａを挿通孔６の一端側で支持した状態で、釘２が支持具本体１に対して相対的に揺動可能となる。
【００２９】
また、本実施形態では、挿通孔６の一端側の周囲、即ち、釘頭２ａの下面２ｃを支持する内壁部８ａに、その外周から下方に凹設される凹部９が設けられている。この凹部９は、釘２を支持具本体１に対して揺動させる際に、釘頭２ａの揺動を許容するものである。本実施形態では、凹部９が受け側部材３の内周面３ａから下方へ向けて一体的に形成されており、内壁部８ａが内周面３ａに対して一段下がって設けられているため、釘２の釘頭２ａがこの凹部９にすっぽり収容されるようになっている。
【００３０】
次に、図４および図５を参照して、本実施形態にかかる竪樋支持具１０の使用方法について詳しく説明する。
【００３１】
まずは、図４に示すように、釘２を建物の外壁２０に対して垂直ではなく傾斜させて打ち込み固定する。本実施形態では、凹凸や不陸のない建物の外壁２０に釘２を打ち込むようにしているが、このように傾斜させて釘２を打ち込むことによって、建物の外壁２０に釘２を伝う雨水が浸入してしまうのを防ぐことができるという利点がある。
【００３２】
そして、支持具本体１の受け側部材３と止め側部材４の係合部１５の係合を解除するとともに、ヒンジ部５を起点に受け側部材３に対して止め側部材４を回動させて、支持具本体１の内部に竪樋１が位置するように挿入する。
【００３３】
最後に、受け側部材３と止め側部材４の係合部１５を互いに係合させることで、竪樋を周囲から支持する。この際、本実施形態では、上述したように挿通孔６を一端側から他端側に向けて拡径しているため、傾斜して固定された釘２に対して支持具本体１を揺動させることができ、図５に示すように、角度をつけて外壁２０に対して垂直にした支持具本体１を竪樋３０に取り付けることができる。したがって、止め側部材４の爪部１１を受け側部材３の軸部１２に係合させる際に、角度が合わずに嵌め込むのが堅くなったり、爪部１１が割れてしまったりするという不具合を抑制でき、係合部１５の係合をスムーズに行って、支持具本体１を竪樋３０に取り付けることができる。
【００３４】
以上、詳細に亘って説明してきたように、本実施形態では、挿通孔６を一端側から他端側に向けて拡径することで、釘頭２ａを挿通孔６の一端側で支持した状態で、釘２が支持具本体１に対して相対的に揺動できるようにしたため、釘２を傾斜させて固定しても、支持具本体１を揺動させることで竪樋３０に対する支持具本体１の角度を合わすことができるようになり、スムーズに支持具本体１を竪樋３０に取り付けることができる。
【００３５】
また、本実施形態では、挿通孔６の一端側の周囲に、釘２の支持具本体１に対する揺動の際に、釘頭２ａの揺動を許容する凹部９が設けられているため、軸をずらさずに、常に挿通孔６の一端側の周囲に当接された釘頭２ａの略中央部を軸に釘２を揺動させることができるようになり、支持具本体１に対する釘２の揺動をスムーズに行うことができる。
【００３６】
［第２実施形態］
次に、本発明の第２実施形態について図面を参照して説明する。図６は本実施形態にかかる竪樋支持具を示した概略図であり、（ａ）は挿通孔近傍の断面図、（ｂ）は挿通孔を正面から見た図である。
【００３７】
本実施形態の竪樋支持具１０Ａは、上記第１実施形態にかかる竪樋支持具１０に対して、挿通孔６Ａに、釘２を保持するとともに、釘２が支持具本体１に対して相対的に揺動するのを許容する許容部が設けられている点が異なっている。
【００３８】
具体的には、本実施形態では上記第１実施形態と同様に、挿通孔６が支持具本体１の内周側（一端側）から支持具本体１の外周側（他端側）に向けて拡径しており、この挿通孔６の内部に、許容部としての弾性変形可能な複数の弾性リブ１８（保持部材）が設けられている。
【００３９】
図６（ａ）、（ｂ）に示すように、弾性リブ１８は、挿通孔６の他端側よりの内部から径内側に向けて張り出しており、挿通孔６の周方向に沿って等間隔に４つ配置され、その各先端部で釘足２ｂを保持するようになっている。
【００４０】
かかる構成の本実施形態の竪樋支持具１０Ａでは、上記第１実施形態と同様に、釘頭２ａを挿通孔６の一端側で支持した状態で、釘２が支持具本体１に対して相対的に揺動することが可能となる。
【００４１】
したがって、本実施形態の竪樋支持具１０Ａにあっても、釘２を傾斜させて固定した場合でも、支持具本体１を揺動させることで竪樋３０に対する支持具本体１の角度を合わすことができるようになり、スムーズに支持具本体１を竪樋３０に取り付けることができるようになる。
【００４２】
また、本実施形態では、挿通孔６の内部に、径内側に向けて張り出す許容部としての弾性リブ１８（保持部材）が設けられているため、支持具本体１に対して釘２を揺動させる際に、弾性リブ１８が撓んで釘２のがたつきを抑制することができるととともに、釘２が弾性リブ１８の先端部に保持されるため、釘２を建物の外壁２０に打ち込む作業を容易に行うことができるという利点もある。
【００４３】
さらにまた、本実施形態では、挿通孔６が支持具本体１の内周側（一端側）から支持具本体１の外周側（他端側）に向けて拡径しているため、拡径された挿通孔６が誘導部となって釘２をスムーズに揺動させることができるようになる。
【００４４】
以上、本発明の好適な実施形態について説明したが、本発明は上記実施形態には限定されず、種々の変形が可能である。例えば、上記第１および第２実施形態では、固定部材として釘２を用いたが、これに限定されず、ネジ等を用いてもよい。また、上記第２実施形態では、許容部として挿通孔６の内部から径内側に向けて張り出す複数の弾性リブ１８を設けるようにしたが、挿通孔６Ａに弾性変形可能なリング状の保持部材を嵌め込むようにしてもよい。また、上記第２実施形態では、挿通孔６を一端側から他端側に向けて拡径するようにしたが、拡径させずに挿通孔６の内部に保持部材を設けるようにしてもよい。
【符号の説明】
【００４５】
１    支持具本体
２    釘（固定部材）
２ａ  釘頭（支持部）
６    挿通孔
１０、１０Ａ  竪樋支持具    
２０  外壁
３０  竪樋
【図１】
2011006899.tif 000003
【図２】
2011006899.tif 000004
【図３】
2011006899.tif 000005
【図４】
2011006899.tif 000006
【図５】
2011006899.tif 000007
【図６】
2011006899.tif 000008